(57)【要約】      （修正有）【課題】特に反響騒音を抑えることができるカウンターフープを提供する。【解決手段】リング体を呈し、上部に設けられる上リング１０と、前記上リングの下部から外側へ向かって延設される固定部１１と、前記固定部の下部から下方へ向かって延設される下リング１２と、前記固定部と下リングとの間に等間隔で突設されると共に、夫々１つの孔１３１が形成される複数のロック部材１３と、前記上リングの上部を内側へ折り返してなる円弧部１４とを有することを特徴とする。【選択図】図１
0003156059.tif 000002
【実用新案登録請求の範囲】
【請求項１】
リング体を呈し、上部に設けられる上リングと、
前記上リングの下部から外側へ向かって延設される固定部と、
前記固定部の下部から下方へ向かって延設される下リングと、
前記固定部と下リングとの間に等間隔で突設されると共に、夫々１つの孔が形成される複数のロック部材と、
前記上リングの上部を内側へ折り返してなる円弧部とを有することを特徴とするカウンターフープ。
【請求項２】
６つのロック部材が突設されることを特徴とする請求項１に記載のカウンターフープ。
【考案の詳細な説明】
【技術分野】
【０００１】
本考案は、特に上縁を内側へ折り返すことにより、反響騒音を抑えるドラムに使用するカウンターフープに関するものである。
【背景技術】
【０００２】
ドラムは、シェルを共鳴させてヘッドを震動させることにより音を出すものであり、異なるシェルとヘッドとからなるドラムは、異なる音を出すことができる。また、ヘッドの張力を調整することにより、ドラムの音を変化させることができる。
【０００３】
図４及び図５に示すように、従来のカウンターフープは、上部に設けられる上リング（２０）と、該上リング（２０）の下部から外側へ向かって延設される固定部（２１）と、該固定部（２１）の下部から下方へ向かって延設される下リング（２２）と、該固定部（２１）と下リング（２２）との間に等間隔に突設される６つのロック（２３）と、該上リング（２０）の上部から外側へ向かって延設されると共に、外側に向かって開放状を呈する延伸部（２４）とを有する、スチール又は亜鉛合金のプレス加工方法により製造された金属のリング体からなる例えばスチールカウンターフープや亜鉛合金カウンターフープなどである。前記従来のスチールカウンターフープの例として、POWERHOOP＼パワ−フ−プといった商標登録をされた商品が挙げられる。
【０００４】
また、前記従来のカウンターフープでは、ドラムヘッド（Ｂ）が、前記固定部（２１）の内側における、ドラムのシェル（Ａ）の上端に取り付けられる。
【先行技術文献】
【特許文献】
【０００５】
【特許文献１】登録実用新案第３１３７１６０号公報
【考案の開示】
【考案が解決しようとする課題】
【０００６】
しかしながら、従来のカウンターフープを使用したドラムで実際に演奏すると、エコー及び中音域の音は強いが、高音域の音が乏しい。即ち、前記延伸部（２４）の、外側へ向かって延設される開放式の構成は、エコーや延長音を増大させてシェル（Ａ）を強烈に共鳴させ、強い音を出してしまう。
【０００７】
このように、従来のスチールカウンターフープ又は亜鉛合金カウンターフープを使用したドラムは、音は強いが、騒音を抑えるための構成を有していないと共に、前記延伸部（２４）の上部には出っ張りが形成されることから、ドラムヘッドを叩く時に、ドラムスティックに傷をつけてしまう恐れがあり、ドラムスティックの寿命を短縮させてしまうといった欠点があった。なお、前記亜鉛合金カウンターフープはスチールカウンターフープより材料コストが高いものである。
【０００８】
そこで、案出されたのが本考案であって、反響騒音を抑えることができると共に、ドラムスティックに傷をつけることのないカウンターフープを提供することを目的としている。
【課題を解決するための手段】
【０００９】
本願の請求項１の考案は、リング体を呈し、上部に設けられる上リング（１０）と、
前記上リング（１０）の下部から外側へ向かって延設される固定部（１１）と、
前記固定部（１１）の下部から下方へ向かって延設される下リング（１２）と、
前記固定部（１１）と下リング（１２）との間に等間隔で突設されると共に、夫々１つの孔（１３１）が形成される複数のロック部材（１３）と、
前記上リング（１０）の上部を内側へ折り返してなる円弧部（１４）とを有することを特徴とするカウンターフープ、を提供する。
【００１０】
本願の請求項２の考案は、６つのロック部材（１３）が突設されることを特徴とする請求項１に記載のカウンターフープ、を提供する。
【考案の効果】
【００１１】
本考案は上記の課題を解決するものであり、上リング（１０）の上部が内側へ折り返す構成となっているので、反響騒音を抑えることができる。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係るカウンターフープの斜視図であり、図２は本考案に係るカウンターフープの使用状態を示す斜視図であり、図３は本考案に係るカウンターフープの部分断面図であり、図７は本考案に係るカウンターフープを用いるドラムの音の波形図である。
【００１４】
図１乃至図３に示すように、本考案に係るカウンターフープは、プレス加工により製造されたリング体であり、上部に設けられる上リング（１０）と、該上リング（１０）の下部から外側へ向かって延設される固定部（１１）と、該固定部（１１）の下部から下方へ向かって延設される下リング（１２）と、該固定部（１１）と下リング（１２）との間に等間隔に突設されると共に、夫々１つの孔（１３１）が形成される６つのロック部材（１３）と、該上リング（１０）の上部を内側へ折り返してなる円弧部（１４）とを有するものである。また、前記下リング（１２）は、直立状を呈するものであり、前記６つのロック部材（１３）は、上面が平面状を呈するものであることが好ましい。
【００１５】
本考案に係るカウンターフープを使用する時は、ドラムヘッド（Ｂ）を、前記固定部（１１）の内側における、ドラムのシェル（Ａ）の上端にしっかりと取り付ける。このような構成を有する本考案に係るカウンターフープを使用するドラムでは、最適なエコー効果や、高、低、中音域の音を出すことができるのみならず、共鳴が非常に滑らかで、不協和音が発生することはない。
【００１６】
更に、前記上リング（１０）の上部を内側へ折り返してなる円弧部（１４）により、該上リング（１０）の内側における前記円弧部（１４）の下端と前記ドラムヘッド（Ｂ）との間に、間接的に音を相殺させるためのスペースを形成させ、シェル（Ａ）からの音を微かに抑え、一部の騒音及び余分のエコーを修飾する効果を提供するので、暖かく且つ温和な音を出すことができる。
【００１７】
以下は、音の性質及び外観によりことなる本考案に係るカウンターフープと従来の亜鉛合金カウンターフープ及びスチールカウンターフープとを測定する実験の結果である。
【００１８】
一、実験の目的
１．形式、材料により異なるカウンターフープにおけるシェルの発音に対する影響。
２．カウンターフープの形式における延長音に対する影響。
【００１９】
二、測定対象
１．上ヘッドに白色のweatherking coated ambassadorを用いると共に、下ヘッドに透明のweatherking ambassador snareを用いる１４”×５．５”のサイズを有するブロンズシェル。
２．例えばPOWERHOOP＼パワ−フ−プなどのスチールカウンターフープ。
３．本考案に係るカウンターフープ。
４．亜鉛合金カウンターフープ。
５．前記三種類のカウンターフープを用いる上ヘッドの張力が９５ｌｂ／ｆｔ、下ヘッドの張力が８５ｌｂ／ｆｔに調整されている。
【００２０】
三、スチールカウンターフープ
図６に示すように、スチールカウンターフープを用いるドラムの音は、以下の特徴を有するものである。
１．音長＝１．２４秒。
２．エコー、中音域、低音域は強いが、高音域が乏しい。
３．シェルからの音は明瞭であるが、カウンターフープが開放状を呈するものであるので、悶々とした雑音があり、エコー、延長音が強い。
４．亜鉛合金カウンターフープと比較すると、スチールカウンターフープはシェルの共鳴を抑えない方である。
５．広い音域を有し、シェル及びカウンターフープの共鳴は強烈なものであるが、緩やかで自然的な類型に属する音である。
【００２１】
四、本考案に係るカウンターフープ
図７に示すように、本考案に係るカウンターフープを用いるドラムの音は、以下の特徴を有するものである。
１．音長＝１．１６秒。
２．エコーは適度であると共に、高、中、低音域は特に突出的な音のない適度なものである。
３．波形を構成する滑らかな曲線が示すように、尾音をなくさない完全な共鳴を提供する。
４．図１乃至図３に示すように、本考案に係るカウンターフープにおける上リング（１０）の上部が内側へ折り返されることにより円弧部（１４）が形成されるので、間接的に音を相殺させることができる。このことから、本考案に係るカウンターフープの構造により、シェル（Ａ）からの音が微かに抑えられ、一部の騒音及び余分のエコーを修飾する効果を提供することができる。
５．暖かく且つ温和な特性を有する音である。
【００２２】
五、亜鉛合金カウンターフープ
図８に示すように、亜鉛合金カウンターフープを用いるドラムの音は、以下の特徴を有するものである。
１．音長＝０．９３７秒。
２．エコーは短く、高音域が強いと共に、中、低音域が弱い少々尖ってる音質である。
３．亜鉛合金カウンターフープは中身が詰まったものであるので、余分な延長音を殆ど吸収してしまう。
４．シェルからの音は不明瞭であるが、ヘッドからの音が明瞭である。
５．枯れた音質を有するものの、暴力的と言えるほど過激な性質を有するので、リズムの強い音楽に好適である。
【００２３】
六、前記三種類のカウンターフープにおけるシェルからの音に対する影響の対比
１．音域（高→低）：亜鉛合金カウンターフープ→本考案に係るカウンターフープ→スチールカウンターフープ。
２．共鳴（強い→弱い）：スチールカウンターフープ→本考案に係るカウンターフープ→亜鉛合金カウンターフープ。
３．延長音（長い→短い）：スチールカウンターフープ→本考案に係るカウンターフープ→亜鉛合金カウンターフープ。
４．音質（強烈→温和）：亜鉛合金カウンターフープ→スチールカウンターフープ→本考案に係るカウンターフープ。
５．個性（独自→一般）：本考案に係るカウンターフープ→亜鉛合金カウンターフープ→スチールカウンターフープ。
【００２４】
七、外観の対比
１．外観の対比（特殊→一般）：本考案に係るカウンターフープ→亜鉛合金カウンターフープ→スチールカウンターフープ。
【００２５】
八、結論
１．異なるシェルとヘッドとからなるドラムは、異なる音を出すことができる。また、ドラムの音に対する好悪もかなりの個人差がある。すなわち、ドラムの音を絶対的な良し悪しという評価を与えることができなく、むしろ主観的な好悪に基づいてドラムを個人的に評価するのが一般である。
２．本考案に係るカウンターフープは、独自の個性を有する音を出せると共に、特殊な外観を有するものであるので、消費者の目を引く類ない特性を表現することができる。
３．本考案に係るカウンターフープは、従来のカウンターフープを用いるドラムで出せない音を出すことができるのみならず、騒音を抑制すると共に、シェルからの音を微かにしか抑えないので、抜群な音質の音を提供することができる。
【００２６】
上述した通り、本考案に係るカウンターフープと従来の亜鉛合金カウンターフープ及びスチールカウンターフープとを比較すれば、本考案に係るカウンターフープを用いるドラムの音における音域、共鳴、延長音などの特性は、従来の亜鉛合金カウンターフープの特性とスチールカウンターフープの特性の中間に位置するものであることが分かる。しかしながら、本考案に係るカウンターフープを用いるドラムの音の属性と言えば、従来の亜鉛合金カウンターフープ及びスチールカウンターフープより温和な、さらに独自の特殊性を持つものである。
【００２７】
なお、単なる外観から見れば、図１乃至図３に示すように、本考案に係るカウンターフープにおける上リング（１０）の上部が内側へ折り返されることにより円弧部（１４）が形成される。本考案に係るカウンターフープにおける該円弧部（１４）を有する外観は、亜鉛合金カウンターフープの特性及びスチールカウンターフープを上回る特殊性と美しさとを表現することができるものである。また、本考案に係るカウンターフープはスチールで製造することにより、材料コストを低減し、消費者の購買意欲を促すことができる。
【００２８】
また、本考案の構成によれば、上述した通り、前記円弧部（１４）により、シェル（Ａ）からの音を過度に消さないように騒音を抑制できるので、独特の音色の出せるだけでなく、前記円弧部（１４）には出っ張りがないことから、ドラムスティックを傷つけることもないので、ドラムスティックの使用寿命を延長することができる。
【産業上の利用可能性】
【００２９】
本考案は上記の構成を有するので、ドラムスティックの使用寿命を延長することができると共に、反響騒音を抑えることができる。
【図面の簡単な説明】
【００３０】
【図１】本考案に係るカウンターフープの斜視図である。
【図２】本考案に係るカウンターフープの使用状態を示す斜視図である。
【図３】本考案に係るカウンターフープの部分断面図である。
【図４】従来のカウンターフープの使用状態を示す斜視図である。。
【図５】従来のカウンターフープの部分断面図である。
【図６】スチールカウンターフープを用いるドラムの音の波形図。
【図７】本考案に係るカウンターフープを用いるドラムの音の波形図。
【図８】亜鉛合金カウンターフープを用いるドラムの音の波形図。
【符号の説明】
【００３１】
１０ 上リング
１１ 固定部
１２ 下リング
１３ ロック部材
１３１ 孔
１４ 円弧部
２０ 上リング
２１ 固定部
２２ 下リング
２３ ロック部材
２４ 延伸部
Ａ シェル
Ｂ ドラムヘッド
【図１】
0003156059.tif 000003
【図２】
0003156059.tif 000004
【図３】
0003156059.tif 000005
【図４】
0003156059.tif 000006
【図５】
0003156059.tif 000007
【図６】
0003156059.tif 000008
【図７】
0003156059.tif 000009
【図８】
0003156059.tif 000010